(57)【特許請求の範囲】
【請求項１】
方形状の肉厚の木製基台の上面の左右両側部に沿ってほぼ平行で垂直状態に踏み板の支持板２枚を対向して取り付け、前記支持板の対向する内面側に踏み板を差し込む高さ調整用の凹み溝を複数段設け、前記凹み溝に踏み板を差し込む運動用踏み台であって、前記木製基台の上面の左右方向であって、且つ該左右方向と直交する方向の一方の先端部に握り部分を有する略Ｌ字型の２本の手すりを対向し、更に２本の手すりの握り部がそれぞれ内側に回動可能とすると共に前記左右方向と直交する方向の他方の先端部に向けて折りたたみ可能に立設すると共に前記支持板は対向面側に折りたたみ可能とし、折りたたんだ時に対向する前記支持板同志が重ならないこととしてなることを特徴とする運動用踏み台。
【請求項２】
前記支持板は手すり側の端面に磁性材から成る踏み板ストッパーを設けるとともに、踏み板はその踏み板の差し込む方向の端面に磁石を取り付けたことを特徴とする請求項１記載の運動用踏み台。
【発明の詳細な説明】
【技術分野】
【０００１】
本発明は、足、腰の筋力を鍛えるための運動に適した運動用踏み台に関する。
【背景技術】
【０００２】
従来、この種の運道具として、特許文献１に記載のものが知られている。この運動具は、無端チェンの走行にともなって折り畳み踏み台が順次連続して階段状に現れるようになるとともに、速度調整器によって無端チェンの走行速度を調整して、折り畳み踏み台が移動速度を調整するようになっている。
【０００３】
然し、上記従来例のものでは、中高齢者や変形膝関節症などの整形外科的疾患を持った人などは、膝等への負担が過大になる恐れがある。
【先行技術文献】
【特許文献】
【０００４】
【特許文献１】特開  昭６２−１０１２６５号公報
【発明の概要】
【発明が解決しようとする課題】
【０００５】
本発明は、以上の点に鑑み、踏み台を複数段の高さから任意の高さを選択し、年齢、体力に合致した階段昇降運動が出来るようにした運動用踏み台を提供することをその課題としている。
【課題を解決するための手段】
【０００６】
上記課題を解決するために、本発明は、方形状の肉厚の木製基台の上面の左右両側部に沿ってほぼ平行で垂直状態に踏み板の支持板２枚を対向して取り付け、前記支持板の対向する内面側に踏み板を差し込む高さ調整用の凹み溝を複数段設け、前記凹み溝に踏み板を差し込む運動用踏み台であって、前記木製基台の上面の左右方向であって、且つ該左右方向と直交する方向の一方の先端部に握り部分を有する略Ｌ字型の２本の手すりを対向し、更に２本の手すりの握り部がそれぞれ内側に回動可能とすると共に前記左右方向と直交する方向の他方の先端部に向けて折りたたみ可能に立設すると共に前記支持板は対向面側に折りたたみ可能とし、折りたたんだ時に対向する前記支持板同志が重ならないこととしてなることをを立設してなることを特徴とする。
【０００７】
本発明によれば、方形状の肉厚の木製基台の上面の左右両側部に、踏み板の間に踏み板を差し込み、任意の高さで階段昇降運動を行うことができ、さらに手すりを利用することでより安全に運動が行える。
【０００８】
また、踏み板の支持板に踏み板の差し込み方向の反対側の先端に磁性材から成る踏み板ストッパーを設けるともに、踏み板の差し込み方向の反対側に前記踏み板ストッパーに係合する位置に磁石を取り付け、前記踏み板を選択的に前記踏み板支持板に設けた踏み板ストッパーに前記磁石が当接するよう凹み溝に装着して使用できることを特徴とする。
【０００９】
そのため、階段昇降運動中に踏み板が踏み板の支持板から外れる危険がなく安全に運動を継続することができる。
【００１０】
また、対向して設けた踏み板の支持板は折り畳んだ時に前記踏み板の支持板同志が重ならないことを特徴とする。
【００１１】
そのため、設置面積が少なく僅かな場所で運動が行え、組み立て、梱包が簡単で自家用車等に積載して搬送、移動ができる。
【００１２】
また、木製基台の先端部に立設された手すりは、手すり取り付けジョイント可動部を基点として折りたたむことを特徴とする。
【００１３】
そのため、使用しない時や収納する時は、手すりを折り畳むことができるので保管に有利である。
【図面の簡単な説明】
【００１４】
【図１】本発明の第１実施形態の収納時の状態を示す運動用踏み台の平面視図
【図２】第１実施形態の収納時の状態を示す運動用踏み台の側面視図
【図３】第１実施形態の収納時の状態を示す運動用踏み台の正面視図
【図４】第１実施形態の使用状態を示す正面視図
【図５】第１実施形態の使用状態を示す側面視図
【図６】第１実施形態の使用状態を示す背面視図
【図７】第１実施形態の使用状態を示す平面視図
【図８】第１実施形態の手すり取り付けジョイント部を示す側断面図
【図９】第１実施形態の手すり取り付け時の正面視図
【図１０】第１実施形態の手すり取り付けジョイント部の折りたたみ時の平面視図
【図１１】第１実施形態の手すり取り付けジョイント部の折りたたみ時の側面視図
【図１２】第２実施形態の手すり取り付け部の正面視図
【図１３】第２実施形態の手すり取り付け部の側面断面図
【図１４】木製基台と踏み板支持板との相関図
【図１５】踏み板支持板の拡大側面視図
【図１６】踏み板の磁石及び磁性体を持つストッパーの図
【発明を実施するための形態】
【００１５】
以下図面に基づいて本発明の好ましい実施形態を詳述する。
【００１６】
（第１実施形態）
図１〜図９を参照して、方形状の肉厚の木製基台１の上面の両側部に沿って、ほぼ平行でかつ垂直状態に踏み板３の支持板２を対向して蝶番１８によって木製基台１に取り付けられている。そして踏み板３を支持板２の内面側に設けられている複数段の凹み溝１７の任意の高さに差し込むようにしている。両側部とは木製基台１の上面の左右の端部とする。
【００１７】
木製基台１の上面の両側部の先端部に手すり取り付けジョイント台座６をネジ等によって螺着し、ジョイント台座６には垂直に設けたジョイント固定部７が延設され、ジョイント固定部７の上部に剛球等から成るジョイントボール１0に接合された接合ピン１1をジョイント可動部８に嵌合させ、ジョイントボール１0が外れないようボール外れ防止ネジ１3によって係止されている。
【００１８】
ジョイント固定部７とジョイント可動部８を円筒形状のジョイント固定パイプ９を挿通し、ジョイント固定部７とジョイント可動部８をそれぞれ押さえネジ１2によって固定されている。
【００１９】
ジョイント可動部８の下端部に接合ピン1１に挿通されたジョイント接合面を保護する保護部材１4が装着されている。
【００２０】
手すり５は、ジョイント可動部８に挿通し、下部を押えネジ1２によって固定され、手すり連結継手1６を任意位置に固定させ、手すり連結補強パイプ1５が装着されている。
【００２１】
使用状態からは踏み板３を支持板２の凹み溝１７より抜き出し、支持板倒れ防止ピン２０を外した後、対向する支持板２を内側に倒し、図１０〜１１を参照して手すり取り付けジョイント可動部８、手すり取り付けジョイント固定部７を押さえている手すり取り付けジョイント固定パイプ９の押さえネジ１２をゆるめ、手すり取り付けジョイント固定パイプ９を上方に移動させ、手すり５の握り部分を両方とも内側におよそ９０度会回動させ、手すり５を木製基台１の後端方向に押し倒し折りたたむことができるようになっている。
【００２２】
図１４（Ａ）、（Ｂ）を参照して、木製基台１の上面の左右両側部に前記両側部に沿ってほぼ平行でかつ垂直状態に踏み板３の支持板２を対向して蝶番１８によって前記木製基台１に取り付け、踏み板３の支持板２を前記蝶番１８を基点として内側に折りたたんだ時に支持板２同志が重ならないよう、支持板２の高さＨと２枚の支持板２の木製基台１への取り付け巾はＷ＞２Ｈの関係となっている。
【００２３】
（第２実施形態）
図１２〜１３を参照して、木製基台１に手すり取り付けジョイント台座２２をネジ等によって螺着し、手すり取り付けジョイント固定部２３を垂直に延設し、手すり取り付けジョイント接続部２４を手すり取り付けジョイント固定部２３の上部に載置し、ジョイント固定パイプ９をジョイント接続部２４、ジョイント固定部２３に挿通し、さらに手すり５をジョイント固定パイプ９の中に挿入した後、押さえネジ１２によって固定される。
【００２４】
本実施形態では、部品点数が増加せず、コスト的に有利である。
【００２５】
以上、本発明の実施形態について図面を参照して説明したが、木製基台は例えば長さ60cm.巾60cmの正方形でもよく、長さ50cm.巾60cmの長方形でも良く、本発明はこれに限定されない。木製と限定した理由は、木の香りや肌触りなど自然素材に触れ心地よく使用できるからである。
【符号の説明】
【００２６】
１  木製基台
２  支持板
３  踏み板
４  踏み板ストッパー
５  手すり
６  手すり取り付けジョイント台座
７  手すり取り付けジョイント固定部
８  手すり取り付けジョイント可動部
９  手すり取り付けジョイント固定パイプ
１０  ジョイントボール
１１  接合ピン
１２  押えネジ
１３  ボール外れ防止ネジ
１４  ジョイント接触面保護部材
１５  手すり連結補強パイプ
１６  手すり連結継手    
１７  凹み溝
１８  蝶番
１９  磁石
２０  支持板倒れ防止ピン穴
２１  支持板倒れ防止ピン
【要約】
【課題】
足、腰の筋力を鍛えるための運動に適した、年齢、体力に合致した階段昇降運動が出来る運動用踏み台を提供すること。
【解決手段】
方形状の肉厚の木製基台の上面の両端に、ほぼ平行で、かつ垂直状態に踏み板の支持板を対向して取り付け、踏み板の支持板の内面側に踏み板を差し込む高さ調整用の凹み溝を複数段設け、前記凹み溝に踏み板を差し込む運動用踏み台であって、木製基台の上面の両側部の先端部に手すりを立設した。
【選択図】 図４【図１】
0004733224.tif 000002
【図２】
0004733224.tif 000003
【図３】
0004733224.tif 000004
【図４】
0004733224.tif 000005
【図５】
0004733224.tif 000006
【図６】
0004733224.tif 000007
【図７】
0004733224.tif 000008
【図８】
0004733224.tif 000009
【図９】
0004733224.tif 000010
【図１０】
0004733224.tif 000011
【図１１】
0004733224.tif 000012
【図１２】
0004733224.tif 000013
【図１３】
0004733224.tif 000014
【図１４】
0004733224.tif 000015
【図１５】
0004733224.tif 000016
【図１６】
0004733224.tif 000017